(57)【要約】【課題】  ワインダー装置で、紙管の交換を行う場合にワインダードラムに巻回した紙シートを、巻尻側と巻始め側との間で円滑に切断できるようにした巻取紙用ワインダー装置を提供する。【解決手段】  ワインダードラム２に巻回した紙シートＳと両面接着テープＴを、その軸方向に沿って移動することにより切断するカッター４を取り付ける取付ブロック4aに、該カッター４の切断時の走行方向の後方側に可撓性を有する裁断ピン10を取り付ける。ワインダードラム２と接触している紙シートＳに対応する部分を走行する場合には、裁断ピン10が適宜に撓んで両面接着テープＴの表面を擦過して移動し、溝部2aでは復元力によって伸長して溝部2aに差し込まれ、溝部2aに臨んだ紙シートＳと両面接着テープＴとを切断することにより、カッター４が移動した部分で紙シートＳと両面接着テープＴとが切断される。【選択図】        図１
2010202301.tif 000002
【特許請求の範囲】
【請求項１】
広幅に巻き取られた紙シートを幅方向の所望位置で切断することにより小幅の小巻取を形成する巻取紙用ワインダー装置において、
ワインダードラムの軸方向に沿って移動して、該ワインダードラムの周面に巻回した紙シートを、前記小巻取の巻尻で切断するカッターと、
前記カッターの切断時の移動方向の該カッター後方に、該カッターとともに移動する可撓性を有する線材からなる紙シート裁断手段とを有し、
前記紙シート裁断手段の移動により、該紙シート裁断手段がワインダードラムの溝部に位置した際には、その可撓性により該紙シート裁断手段の先端部が溝部に差し込まれることを特徴とする巻取紙用ワインダー装置。
【請求項２】
前記カッターと紙シート裁断手段とを、紙シートに両面接着テープを貼付するテープ貼付装置に具備させ、紙シートに貼着された両面接着テープと該紙シートとを切断することを特徴とする請求項１に記載の巻取紙用ワインダー装置。
【請求項３】
前記紙シート裁断手段をピアノ線により形成したことを特徴とする請求項１または請求項２に記載の巻取紙用ワインダー装置。
【請求項４】
前記線材の先端部を、前記カッターの移動方向の後方を指向させて折曲させたことを特徴とする請求項１から請求項３までのいずれかに記載の巻取紙用ワインダー装置。
【発明の詳細な説明】
【技術分野】
【０００１】
この発明は、抄紙機により製造された巻取紙を小幅の小巻取に巻き直すワインダー装置に関し、特に、完成された小巻取の巻尻側と次に形成する小巻取の巻始め側との間で切断して、確実にこれらの間を分離させることができるようにする巻取紙用ワインダー装置に関する。
【背景技術】
【０００２】
抄紙機により製造される紙はマシンリールに巻き取られて巻取に形成されるが、製造された巻取は生産効率を高めるために幅員が大きいものとされている。一方、新聞社や印刷会社、包装資材会社等の需要者では、広幅で大きな径の巻取を扱う機械装置を所有しておらず、製紙工場としても出荷の際には広幅な巻取は扱いにくい。このため、製紙工場では、抄紙機のマシンリールで巻き取られた巻取を需要者が所有する印刷機等の機械能力に応じて、適当な幅員及び径の巻取に加工したり、所定の寸法の平判紙に裁断して出荷している。
【０００３】
マシンリールに巻き取られた広幅の巻取をワインダー装置に供して小幅の巻取に成形し直す場合に、スリッターナイフで小幅に切断された紙シートはコアである紙管に巻き取られて小幅の小巻取となる。ワインダー装置には、切断された紙シートを巻き取るために適宜数の紙管がその軸方向に並べられてセットされており、紙シートは、それぞれ各別に紙管に巻き取られる。このとき、小幅に切断された紙シートの先端部は紙管に確実に保持されなければ、紙シートの先端部が紙管から浮いてしまって、巻取が密に巻かれた状態とならず、また隣接して巻き取られている紙シートに干渉してしまうおそれがある。このため、紙シートの先端部を確実に紙管に保持させる必要があり、巻き取り用下巻き保持のために紙シートの先端部を両面接着テープにより紙管に貼着させるようにしている。
【０００４】
例えば、図４は、センタードラム型のワインダー装置１の概略構造を示しており、巻取紙の紙シートＳは図示しないリールからスリッターナイフ６により幅方向の所定位置で切断された後、ワインダードラム２に給送されている。紙シートＳはこのワインダードラム２の一部を巻回しながら該ワインダードラム２に案内されて、小幅の小巻取Ｒが、図示しない紙管に巻き取られて形成される。なお、センタードラム型のワインダー装置１では、小巻取Ｒがワインダードラム２の軸方向に沿って並設して形成させたり、該ワインダードラム２の周方向に適宜角度にずれた位置に形成させたりすることもとできる。所定の長さまで巻き取られて小巻取Ｒが形成されると、次の紙管がセットされて新たに小巻取Ｒが形成されることになる。このとき、形成された小巻取Ｒの後端である巻尻側と次に形成される小巻取Ｒの先端となる巻始め側との間を切断する必要がある。このとき、これら切断される部分に両面接着テープを貼着させ、紙シートＳと両面接着テープとを併せて切断する。その後、この切断部で分離させ、巻尻側に貼着された両面接着テープは完成された小巻取Ｒの外巻きに接着され、巻始め側に貼着された両面接着テープは次に形成する小巻取Ｒの下巻きを形成するために紙管に接着される。このため、ワインダー装置１にはテープ貼付装置３とカッターとが具備されている。
【０００５】
図５は前記テープ貼付装置３を示す概略の平面図で、同図上の想像線で該テープ貼付装置３が貼付位置にある状態を示し、実線で準備位置にある状態を示している。また、図４は、テープ貼付装置３が貼付位置にある状態を示している。このテープ貼付装置３には、両面接着テープが巻き取られているテープリール3aと両面接着テープから剥離させた剥離紙を巻き取る剥離紙巻取リール3bと、貼付されたテープと共に紙シートを切断するカッター４とが具備されている。また、このテープ貼付装置３は、ワインダードラム２の軸方向に沿って配されたガイドレール５に移動自在に取り付けられている。なお、図４に示すテープ貼付装置３は、鉛直方向を軸として図５上反時計回り方向に貼付位置まで回動するようにしてある。そして、前記ガイドレール５に案内されて走行することにより、両面接着テープを、先に小巻取Ｒの幅員に切断されてワインダードラム２に巻回している紙シートＳに貼着させる。その後、貼着された両面接着テープと紙シートＳとを前記カッター４によって切断する。
【０００６】
また、ワインダー装置の形式によっては、例えば、特許文献１に開示されているように、両面接着テープを紙管に貼付する構造とされたものもある。
【先行技術文献】
【特許文献】
【０００７】
【特許文献１】特開平４−１２９９６２号
【発明の概要】
【発明が解決しようとする課題】
【０００８】
図６は、カッター４の同図上矢標Ｐ方向への走行によりワインダードラム２の外周面に配された紙シートＳと該紙シートＳに貼着された両面接着テープＴとを切断部Ｍで切断する状態を示している。ところで、ワインダードラム２の周面には周方向に適宜本数の溝部2aが形成されて、紙シートＳに付随したエアーが紙シートＳとワインダードラム２の間から抜けるようにしてある。しかしながら、この溝部2aに臨んだ部分ではカッター４が通過した場合であっても、この部分で切断されず非切断部Ｕが生じて、切断部Ｍがミシン目状となるおそれがある。
【０００９】
非切断部Ｕが発生すると、巻尻側と巻始め側との間の分離が円滑に行えず、完成された小巻取Ｒの排出や紙管への紙シートＳの先端の貼着が行われず、ワインダー装置１を停止しなければならないこととなる。
【００１０】
そこで、この発明の目的は、紙シートと、必要に応じて紙シート共に両面接着テープとを確実に切断することにより、小巻取を円滑に形成できるようにした巻取紙用ワインダー装置を提供することにある。
【課題を解決するための手段】
【００１１】
前記目的を達成するための技術的手段として、この発明に係る巻取紙用ワインダー装置は、広幅に巻き取られた紙シートを幅方向の所望位置で切断することにより小幅の小巻取を形成する巻取紙用ワインダー装置において、ワインダードラムの軸方向に沿って移動して、該ワインダードラムの周面に巻回した紙シートを、前記小巻取の巻尻で切断するカッターと、前記カッターの切断時の移動方向の該カッター後方に、該カッターとともに移動する可撓性を有する線材からなる紙シート裁断手段とを有し、前記紙シート裁断手段の移動により、該紙シート裁断手段がワインダードラムの溝部に位置した際には、その可撓性により該紙シート裁断手段の先端部が溝部に差し込まれることを特徴としている。
【００１２】
前記カッターが移動するとことにより、ワインダードラムに巻回している紙シートが切断される。カッターが通過した後、前記溝部に臨んだ部分を前記紙シート裁断手段が通過すると、その可撓性により溝部に差し込まれることになる。これにより、該溝部に臨んでいる紙シートが切断され、カッターにより切断された部分と連続することになり、巻尻側と巻始め側との間が切断される。また、切断される巻尻側と巻始め側との切断される部分に、切断に先立って両面接着テープを貼付する工程を備えたワインダー装置の場合には、紙シートと両面接着テープとが切断されることとなる。
【００１３】
また、請求項２の発明に係る巻取紙用ワインダー装置は、前記カッターと紙シート裁断手段とを、紙シートに両面接着テープを貼付するテープ貼付装置に具備させ、紙シートに貼着された両面接着テープと該紙シートとを切断することを特徴としている。
【００１４】
テープ貼付装置はワインダードラムの軸方向に沿って移動しながら、該ワインダードラムの外周面に巻回されている紙シートに両面接着テープを貼付するから、このテープ貼付装置に前記カッターと紙シート裁断手段とを具備させることにより、該テープ貼付装置の移動により、両面接着テープを貼付しながら、該両面接着テープと紙シートとを切断するようにしたものである。
【００１５】
また、請求項３の発明に係る巻取紙用ワインダー装置は、前記紙シート裁断手段をピアノ線により形成したことを特徴としている。
【００１６】
可撓性を備えた線材にピアノ線を用いるようにしたものである。すなわち、ワインダードラムの外周面に沿って移動する場合には、先端が適宜に撓んだ状態となり、ワインダードラムの溝部に位置すると、その復元力により先端が該溝部に差し込まれる。さらに移動して、溝部から離脱すると、その可撓性により撓んだ状態となって移動することから、ピアノ線を用いることにより容易に動作させることができる。
【００１７】
また、請求項４の発明に係る巻取紙用ワインダー装置は、前記線材の先端部を、前記カッターの移動方向の後方を指向させて折曲させたことを特徴としている。
【００１８】
紙シート裁断手段を構成する線材は、ワインダードラムの外周面に巻回された紙シートを擦過しながら移動し、この移動時には後方を指向して適宜に撓んだ状態となる。そして、溝部に差し込まれた状態では拘束されずに自然長となり、溝部から離脱する場合には、再び後方を指向して撓むことになる。これらの動作を円滑に行わせるため、線材の先端部を、後方を指向させた折曲させたものである。
【発明の効果】
【００１９】
この発明に係る巻取紙用ワインダー装置によれば、ワインダードラムの外周面に形成された溝部を、前記紙シート裁断手段が通過する際には、該紙シート裁断手段の可撓性により先端部が溝部に差し込まれる。これにより、溝部に臨んでいる部分の紙シートが切断され、非切断部が発生することがなく、カッターにより切断された部分が連続して、この切断部で紙シートを巻尻側と巻始め側との間で確実に分離することができ、ワインダー装置による小巻取の形成工程の円滑さを損なうことがない。
【００２０】
また、請求項２の発明に係る巻取紙用ワインダー装置によれば、既設のテープ貼付装置に紙シート裁断手段を取り付けるものでよいから、ワインダー装置の改良等を要することなく、紙シート裁断手段の簡単な取付作業で、確実に紙シートと両面接着テープとの切断を行えるワインダー装置とすることができる。
【００２１】
また、請求項３の発明に係る巻取紙用ワインダー装置は、紙シート裁断手段の線材としてピアノ線を用いることから、材料を入手しやすく、規格品により所望の性能の可撓性を備えた材料を容易に入手することができる。しかも、ワインダー装置に取り付けるための加工も容易に行うことができる。
【００２２】
また、請求項４の発明に係る巻取紙用ワインダー装置によれば、紙シートまたは両面接着テープの表面を擦過しながら移動する紙シート裁断手段を円滑に移動させることができると供に、溝部に差し込まれた状態から容易に溝部から離脱させることができ、カッター等の円滑な移動を損なうことがない。
【図面の簡単な説明】
【００２３】
【図１】この発明に係る巻取紙用ワインダー装置の要部を示す平面図であり、ワインダードラムに巻回して紙シートと両面接着テープを切断する状態を示している。
【図２】巻取紙用ワインダー装置が備えたカッターと裁断ピンの概略の取付構造を示す斜視図である。
【図３】巻取紙用ワインダー装置が備えたカッターと裁断ピンとにより紙シートと両面接着テープとを切断する状態を説明する図で、(ａ)はワインダードラムの表面での切断を示す図であり、(ｂ)はワインダードラムの表面の紙シートと両面接着テープを示す図である。
【図４】センタードラム型のワインダー装置の概略の構造を説明する図である。
【図５】ワインダー装置に具備されたテープ貼付装置とカッターとの概略構造を説明する図である。
【図６】従来の問題点を説明する図で、図３に相当する図であり、(ａ)はワインダードラムの表面での切断を示す図であり、(ｂ)はワインダードラムの表面の紙シートと両面接着テープを示す図である。
【発明を実施するための形態】
【００２４】
以下、図示した好ましい実施形態に基づいて、この発明に係る巻取紙用ワインダー装置を具体的に説明する。
【００２５】
図１および図２にこの発明に係る巻取紙用ワインダー装置の要部を示してあり、前記テープ貼付装置３に具備されたカッター４に紙シート裁断手段としての線材からなる裁断ピン10が取り付けられている。この裁断ピン10の線材としては可撓性を有するピアノ線が用いられている。図２は、前記カッター４と裁断ピン10の取付状態を示す斜視図で、カッター４は、前記テープ貼付装置３のフレーム（図示せず）に取付ブロック4aが取り付けられ、この取付ブロック4aに固定された取付アーム4bの先端に回転自在に支持されている。そして、前記裁断ピン10は、この取付ブロック4aの端部に固定されるピン押さえブロック11により固定されている。
【００２６】
前記裁断ピン10の先端部10aは、図２に示すように、前記カッター４と反対方向を指向させて折曲してある。
【００２７】
以上により構成されたこの発明に係る巻取紙用ワインダー装置により、紙シートＳの切断作用を説明する。
【００２８】
図１はワインダードラム２に巻回された紙シートＳに、テープ貼付装置３により両面接着テープＴを貼付しながら、カッター４により該両面接着テープＴと紙シートＳとに切断部Ｍを形成する状態を示している。すなわち、テープ貼付装置３が、図１上に矢標Ｐで示す方向に移動しながら、同図上矢標Ｑで示す方向に回転するテープリール3aから巻出された両面接着テープＴを、ワインダードラム２の表面の紙シートＳに貼付させると供に、該両面接着テープＴが貼付されている剥離紙Ｈを同図上矢標Ｒで示す方向に回転する剥離紙巻取リール3bで巻き取る。
【００２９】
紙シートＳと該紙シートＳに貼着された両面接着テープＴとに、前記カッター４と裁断ピン10とにより切断部Ｍを形成する。図３は、これらカッター４と裁断ピン10とにより切断部Ｍを形成する状態を説明する図であり、カッター４と裁断ピン10とは同図上矢標Ｐ方向へ移動する。図１に示すように、裁断ピン10がワインダードラム２の外周面に臨んで移動している際には、先端部10aが適宜に撓んで両面接着テープＴの表面を擦過している。この裁断ピン10が、図３(ａ)に示すように、前記溝部2aに臨んで位置すると、その復元力によって撓んだ状態から伸長して該溝部2aに差し込まれることになる。このため、該溝部2aに臨んでいる紙シートＳと両面接着テープＴとが、裁断ピン10の移動と供に裁断されることになる。すなわち、切断部Ｍは図３(ｂ)に示すように、連続して形成されることとなる。
【００３０】
その後、巻尻側は形成された小巻取Ｒに巻き取られて、該小巻取Ｒの外周面に貼着されて巻尻を固定し、該小巻取Ｒが取り卸された後に、巻始め側がワインダー装置１にセットされた紙管に貼着される。
【００３１】
以上に説明した実施形態では、両面接着テープを接着した後に紙シートと供に切断する場合について説明したが、ワインダー装置によっては、下巻きを形成する際に紙管に両面接着テープを貼付する構造のものがあり、この種の構造のワインダー装置では、ワインダードラムに巻回した紙シートのみを切断することとなり、紙シートのみを切断する構造にカッターと裁断ピンとを用いることもできる。
【産業上の利用可能性】
【００３２】
この発明に係る巻取紙用ワインダー装置によれば、ワインダー装置に供せられた紙シートに、切断部を確実に連続させて形成することができるため、紙シートを円滑に切断することができる。このため、巻き取られた小巻取の取り卸し作業を円滑に行うことができ、ワインダー装置による作業効率の向上に寄与する。
【符号の説明】
【００３３】
Ｓ  紙シート
Ｒ  小巻取
Ｍ  切断部
Ｔ  両面接着テープ
１  ワインダー装置
２  ワインダードラム
2a  溝部
３  テープ貼付装置
3a  テープリール
3b  剥離紙巻取リール
４  カッター
4a  取付ブロック
５  ガイドレール
６  スリッターナイフ
10  裁断ピン（紙シート裁断手段）
【図１】
2010202301.tif 000003
【図２】
2010202301.tif 000004
【図３】
2010202301.tif 000005
【図４】
2010202301.tif 000006
【図５】
2010202301.tif 000007
【図６】
2010202301.tif 000008